(57)【特許請求の範囲】
【請求項１】
基布と基布の裏面に脇下を覆うことができ、かつ密着するように取着したパット体とからなり、パット体が衣服の脇ぐり周縁に位置するように、肩アーム（肩線）の周縁位置に取着しうるように基布の上縁の長手方向に肩紐となる補助片を延設してなる取付手段を設けるとともに、基布の取付手段の前部は衣服の前身頃側のアームホールあたりに、基布の取付手段の後部は衣服の後ろ身頃側のアームホール近傍に取り付けるようにし、装着時にパット体の衣服の脇下側に位置する部分は、基布に止めずフリーとなるようにしてなる腋窩用汗取りパット
【発明の詳細な説明】
【技術分野】
【０００１】  本発明は、腋窩用汗取りパット及びその取付方法に関するものである。
【背景技術】
【０００２】  この種汗取りパットは、パット体を二つ折り折曲面を脇下に直接装着するようにしたものが主流である。【０００３】  また、パット体に設けた紐をブラジャーの肩紐に取付けるようにしたものが開発されている。（特許文献１、２）。【０００４】  そこで、見栄えがよく、腋の下にフィットして装着感が良く、使用中にもずれることがなく、特に袖のない衣服にも使用できる腋窩用汗取りパットの開発が望まれていた。【０００５】
【特許文献１】実登３０７９７１６号公報
【特許文献２】実登３１００９８１号公報
【発明の開示】
【発明が解決しようとする課題】
【０００６】  従来の腋窩用汗取りパットは、パット体を直接腋の下に貼付けたり、上着の腋下部分に取り付けるものであるため、肌荒れの原因や見栄えに問題があり、衣服に固定されているので、使用者の腕の太さなどに対応できないことがあった。【０００７】  また、パット体に設けた紐をブラジャーの肩紐に取付けるようにしたものは、パットと脇の間に空間が生じないように止めることは難しく、ブラジャーに固定していないため使用中にパットがずれてしまうことがある。更にまた、袖のないタンクトップのような衣服の場合には、パットが露出し見栄えが悪く着用しにくいものでもあった。【０００８】  本発明は、袖のない衣服にも違和感なく使用することができ、上述した従来技術の欠点を除くためになされたものである。【０００９】  即ち、汗取りパットを装着するには、使用者の腋の下に密着すると装着感が良くなり好ましい。また、使用者の腕の太さ等によっても装着位置が異なるものであるため、パットの装着位置を最適の箇所にする必要がある。
【課題を解決するための手段】
【００１０】    このような問題点を解決するために、第１発明は、基布１と基布の裏面に脇下を覆うように密着しうるように取着したパット体２とからなり、パット体２が衣服の脇ぐり周縁に位置するとともに、肩アーム（肩線）周縁位置に取着しうるように基布の上縁に取付手段３Ａを設けてなることを特徴としたものである。【００１１】また本発明は、取付手段３Ａが基布１の長手方向両端部に設けられていることを特徴とするものである。【００１２】また本発明は、基布１の取付手段３Ａの前端部は衣服の前身頃側に、そして基布１の取付手段３Ａの後端部は衣服の後身頃側の腕のアームホール周縁に取り付けるようにしてなるものである。なお、取付手段３Ａの前端部とは基布１の前見頃側の端部をいい、後端部とは基布１の後身頃側の端部をいう。【００１３】第２発明は、装着時にパット体２の衣服の脇下側に位置する部分２ａは、基布に止めないでフリー状態となるようにしてなるものである。【００１４】    また、本発明は、基布１が袖部７を形成するようにすることもできるものである。【００１５】また、基布１とパット体２とからなる本発明により、パット体２が脇下に密着するとともに、衣服のアームホール周縁に位置するように、基布の端部に設けた取付手段３Ａをアームホール周縁に取付けるような使用もできるものである。【００１６】    第３発明は、上記パット体２の衣服への取付方法であって、パット体２を二つ折りにし折曲面が脇下位置するようにしたパット体２の折曲面の前後端部が腕の前後の付け根に位置するようにしパット体の折曲面が脇下に密着するようにするものである。
【発明の効果】
【００１７】  本発明は、このような構成であるので、第１発明によれば、パット体２が脇下に常置するように基布１の取付片６を衣服に取り付けることができるので、パット体２が脇下からずれ難くなる。また、基布１を設けているのでこの表面が表出しても見栄えが悪くない。生地や柄などを工夫すれば既製の服に合うように装着できる。なお、パット体２は基布１に取り外し自在としていれば洗濯や取り替えやすくなり便利である。【００１８】  そして、基布１の生地を着用する衣服に調和する色や柄などにすると、衣服に違和感なく着用できることとなる。例えば、袖なしの衣服に着用した場合、パット体２が腋下に位置し、基布１が衣服の腋ぐりを塞ぐこととなるが、基布１の表側の色や柄模様が衣服の色や柄模様と調和するため違和感がないものとなる。【００１９】  また、基布１の端部には衣服の裏に直接止めることができるように取付手段３Ａや補助片４を設けておくと、パット体２が腋下に直接当たるように、パット体２を引き上げ取付手段３Ａを衣服の裏に止めることができ、より確実に腋下に位置しているパット体の位置ずれを防止できる。【００２０】    また、本発明によれば、取付手段３Ａを、基布１の長手方向の両端部に設けているので、これらが肩紐として作用し、腕の太さに応じて調節しやすくなっている。【００２１】  なお、基布１の側縁には取付片６を設けるとともに、取付片６に補助片４を取付けていると、衣服の裏に紐通しを設け、この紐通しに補助片を通して、パット体２が腋下に当接するように補助片４を引き上げるようにして補助片４を肩紐状にして結ぶこともできる。【００２２】第１発明によれば、基布１の取付手段３Ａの前端部は衣服の前身頃１１側の腕のアームホール周縁に、基布１の取付手段３Ａの後端部は衣服の後身頃１０側のアームホール周縁に取り付けるようにしているので、パット体がずれず脇下に密着し、吸汗効果を上げることができる。【００２３】本発明によれば、パット体２は上縁のみ基布１に止めているので、装着時に衣服の脇下側に位置するパット体の部分２ａは、基布１とはフリー状態となることから、図５のように、パット体２の下方部を衣服の脇下に差し込むことにより、基布１とパット体２により衣服５１の脇下を挟みこむこととなるため吸汗効果も増し、しかも着用中にパット体がずれる虞がなく安心して着用することができる。【００２４】また本発明によれば、基布１を袖部７となるように形成しているので、基布のデザインを着用する衣服に合った基布（袖部）を使用することによりファッション性に富んだ利用ができるだけでなく、交換用として持参しておけば容易に着替えることが出来るので便利である。【００２５】本発明パットを取付ける方法として、パット体２が脇下に密着するとともに、衣服のアームホール周縁に位置するように、基布の端部に設けた取付手段３Ａをアームホール周縁に取付けるようにすれば、取付手段３Ａにより調節しながらパット体が常時腋窩に位置するようにでき装着中にずれることがなく吸汗効果が増すこととなる。【００２６】  第３発明によれば、例えばＣ−Ｄ線に沿ってパット体２を二つ折りにして折曲面が脇下に位置するようにしたパット体２の折曲面の前後端部５ａ、５ｂが腕���前後の付け根に位置するようにしパット体２の折曲面が脇下に密着するようにするパット体は衣服の腋ぐりに固定されることとなり、装着中にパット体がずれることがなく安心して使用することができる。
【発明を実施するための最良の形態】
【００２７】
【実施例】
【００２８】  実施例について図面を参照して説明すると、図１において、１は基布であって、裏面に汗を取るためのパット体２の上縁を縫着している。３Ａは、取付手段であって、取付片６、６とからなり、基布１の側縁に設けている。Ａ―Ｂ線は、装着した時に脇下に密着する脇下ラインである。【００２９】  図２において、補助片４を肩紐としたものであって、取付手段３Ａの取付片６、６に取着している。この肩紐（補助片）４は、図３のように基布１の左右側縁を延設して形成してもよい。【００３０】  上記のような構成であるので、図２や図３のパットの場合、図４のように基布１を衣服地と同じような素材とするとタンクトップやノースリーブのような袖のない服に装着しても、調和するため違和感がなく気持ちよく着用することができる。【００３１】  また、図５のように着用時に基布１の表面が見えてもパット体２の下方は衣服の脇下に差し込んで着用するため吸汗効果を維持できるだけでなく、何ら違和感なく着用することができる【００３２】  なお、図６や図７のように、基布を好みのデザインにすることにより、吸汗パットとしてだけでなく、衣服のアクセサリー的な機能も併せ持つものとなりその応用範囲は無尽である。なお、カーデガンのような衣服の場合には、本パットをカーデガンの下に着用することができるので多様な使用ができるものである【００３３】  また、基布１の裏側にパット体２の上縁のみを取着していることからパット体２の下方は基布１と離れているので、基布１の側縁に設けた取付片６をパット体２が腋下に位置するように引き上げ基布１の裏の適宜位置に留めることによって、容易にパット体を腋窩に密着させることができる。【００３４】  このように腋下から基布１が覗いても服地と調和しているため違和感がなく、またパット体２を腋下に密着するようにしているために衣服の腋下にまで汗染みが滲出することがなく安心して装着使用することが出来る。【００３５】  取付片６は使用者の体型に応じた長さにすれば、使用者の腕の太さに応じてパット体の位置を調節することが出来るので便利である。また、取付片６は、基布の両端に設けずに一方にのみ設けてもよい。【００３６】  図２のように取付片６に補助片４を取着していると、図７のように補助片４を肩紐のように使用することが出来るので、補助片４の先端部をホックなどで基布１に留めれば衣服に留め具がなくても利用することができる。また、衣服に紐通しを設けそこに補助片４を通しておけばずれにくくなり心地よく着用できる。
【図面の簡単な説明】
【００３７】
【図１】  本発明の平面図である。
【図２】  本発明の他の実施例の平面図である。
【図３】  本発明の他の実施例の平面図である。
【図４】  本発明で使用状態を示す一部断面図である。
【図５】  本発明で使用状態を示す正面図である。
【図６】  本発明の他の使用状態を示す正面図である。
【図７】  本発明の他の使用状態を示す正面図である。
【符号の説明】
【００３８】  １          基布
２          パット体
６          取付片
４          補助片
３Ａ        取付手段
【要約】
【課題】腋の下にフィットして装着感が良く、使用中にもずれることがない汗取りパットの提供。
【解決手段】基布と基布の裏面に脇下を覆うように密着しうるように取着したパット体とからなり、パット体が衣服の脇ぐり周縁に位置するように、肩アーム周縁位置に取着しうるように基布の上縁に取付手段を設けている。
【選択図】図１【図１】
0005594634.tif 000002
【図２】
0005594634.tif 000003
【図３】
0005594634.tif 000004
【図４】
0005594634.tif 000005
【図５】
0005594634.tif 000006
【図６】
0005594634.tif 000007
【図７】
0005594634.tif 000008